(57)【要約】【課題】ネープ部の浮き上がり、ずり上がり及び着用者の首とかつらとの摺動を防止して、快適な装着感を与えるかつら。【解決手段】ネットをベースとしたかつらにおいて、ネープ部の中央領域を弾性ネット１２Ｃで形成したかつら。【選択図】図１
2007321298.tif 000002
【特許請求の範囲】
【請求項１】
ネットをベースとしたかつらにおいて、ネープ部の中央領域を弾性ネットで形成したことを特徴とするかつら。
【請求項２】
弾性ネットは、下端に向かって拡開する形状としたことを特徴とする請求項１記載のかつら。
【請求項３】
弾性ネットの両側を湾曲させていることを特徴とする請求項２記載のかつら。
【請求項４】
かつらのネットベースのくり部からネープ部に掛けて、伸縮自在な軟質の弾性部材がエッジラインに沿って添設されていることを特徴とする請求項１〜３のいずれかに記載のかつら。
【請求項５】
伸縮自在な軟質の弾性部材が、湾曲部を有することを特徴とする請求項４に記載のかつら。
【請求項６】
伸縮自在な軟質の弾性部材の後端部に係止具を設け、該係止具はネープ部に設けた受部に係止することを特徴とする請求項４または５に記載のかつら。
【請求項７】
かつらのネットベースのくり部は、頂部が前額髪際中央部及び盆の窪間を結ぶ仮想線とつむじ部及び顎部間を結ぶ仮想線との交点に位置するように形成されていることを特徴とする請求項４〜６のいずれかに記載のかつら。
【請求項８】
くり部の前側に連接されたサイドプロテクタの下端部が、つむじ部及び顎部間の仮想延長線よりも上方に位置することを特徴とする請求項４〜７のいずれかに記載のかつら。
【発明の詳細な説明】
【技術分野】
【０００１】
本発明は、ネットを基材とするかつらベースに毛髪を植設したレディメイド或いはオーダーメイドのかつらに関するものである。
【背景技術】
【０００２】
従来、レディメイド或いはオーダーメイドのかつらとして、着用時のフィット感が得られるように、着用者の頭部の大きさに合った周縁を有する帽状のかつらベースに人工及び／又は天然の毛髪を植設しており、このかつらベースは、主として合成繊維製のネット部材を用い、かつらのサイドからネープ部にかけてのエッジラインを自然な毛髪生え際形状に沿うように、耳上部乃至耳後部に対応する部分を湾曲状に切除してくり部を設けるとともに、ネープ部は後頭部のヘアラインに対応して盆の窪からうなじまでの幅をもって、横長状に形成され、その周囲は縁取りテープで補強されている。
【０００３】
そして、頭皮からの浮き上がりがない密着感を得るために、くり部の湾曲形状に沿って厚肉の金属線やプラスチック材等の剛性部材又は硬質の弾性部材のような硬材を挿入添設したり、或いはくり部を樹脂材で硬化することにより、くり部の伸びや変形を抑えるようにするとともに、サイドプロテクタに金属線材などの耳芯を介挿してサイドプロテクタの浮き上がりを防止するようにしたものが提案されている（特許文献１参照）。
【０００４】
また、一般的な頭形状に合うように全体が帽状に膨出されているが、着用者の頭が小さい場合や首が細いような場合には、かつらにたるみが生じ、縁取りテープによってもこのたるみを吸収することができず、また、アジャスターを設けることによりサイズを微調節できるが、かつらベースのエッジラインをヘアラインに沿って充分に整合させることは難しく、着用者の首が上下すると、ネープ部と盆の窪との密着が次第に緩くなったりする。とくに着用者が首を後ろに反らすことにより、ネープ部が凹状に反って、ネープ部１３の浮き上がりの原因となってしまい、自然で良好なフィット感が得られず、外観的にも見栄えが悪いという問題点がある。
【０００５】
そこで、本発明者は、ネープ部の浮き上がりを防止してフィット性を向上させるために、細線材を複数本幅状に配列して湾曲状に成形したボーンを、ネープ部の盆の窪対応位置に圧接するように配置したかつらを提案した（特許文献２参照）。
【０００６】
【特許文献１】実開昭５７−１４３２１８号公報
【特許文献２】特開２００１−８１６１８号公報
【発明の開示】
【発明が解決しようとする課題】
【０００７】
ところが、上述したかつらは、ネープ部に剛性のボーンを設けているため、着用者の首の上下及び左右の動きにネープ部は追随できず、そのため、ずり上がりが生ずるとともに、着用者の襟足とかつらとが相対的に摺動して、摩擦傷の原因となる恐れがある。また、ボーンが剛性であるため、特に、頭髪のない着用者にとって地肌に直接触れて装着感を損ない、装着者にとって満足した装着感を得ることができないという問題があることが見出された。
【０００８】
そこで、本発明は上記の点に鑑み、ネープ部の浮き上がり、ずり上がり及び着用者の首とかつらとの摺動を防止して、快適な装着感を与えるかつらを提供することを課題とするものである。
【課題を解決するための手段】
【０００９】
ネットを基材とするかつらベースに、多数の毛髪を植設してなるかつらにおいて、前記ネープ部の中央領域を弾性ネットで形成して、ネープ部が頭の傾動に伴い生ずる伸縮を吸収するかつらを提案するものである。さらに、本発明者が先に出願した特願２００６−６５４０３において提案した、くり部とくり部からネープ部にかけて設けた弾性部材を用いた構成とを組み合わせることにより、着用性を更に向上させるものである。
【００１０】
本発明の主な構成は次のとおりである。
（１） ネットをベースとしたかつらにおいて、ネープ部の中央領域を弾性ネットで形成したことを特徴とするかつら。
（２）弾性ネットは、下端に向かって拡開する形状としたことを特徴とする（１）記載のかつら。
（３）弾性ネットの両側を湾曲させていることを特徴とする（２）記載のかつら。
（４）かつらのネットベースのくり部からネープ部に掛けて、伸縮自在な軟質の弾性部材がエッジラインに沿って添設されていることを特徴とする（１）〜（３）のいずれかに記載のかつら。
（５）伸縮自在な軟質の弾性部材が、湾曲部を有することを特徴とする（４）に記載のかつら。
（６）伸縮自在な軟質の弾性部材の後端部に係止具を設け、該係止具はネープ部に設けた受部に係止することを特徴とする（４）または（５）に記載のかつら。
（７）かつらのネットベースのくり部は、頂部が前額髪際中央部及び盆の窪間を結ぶ仮想線とつむじ部及び顎部間を結ぶ仮想線との交点に位置するように形成されていることを特徴とする（４）〜（６）のいずれかに記載のかつら。
（８）くり部の前側に連接されたサイドプロテクタの下端部が、つむじ部及び顎部間の仮想延長線よりも上方に位置することを特徴とする（４）〜（７）のいずれかに記載のかつら。
【発明の効果】
【００１１】
本発明の主な効果は次のとおりである。
１．本発明に係るかつらは、かつらのネープ部の中央領域を弾性ネットで形成しているので、かつらを着用したときネープ部が襟足の丸みに沿ってぴったりと密着すると共に、装着者の首の上下左右の動きに追随して弾性ネットが伸縮して、その動きを吸収するので、ずり上がりや浮き上がりが防止でき、着用者の襟足とネープ部と摺動しないので摩擦傷の発生も防止できる。しかも、弾性ネットを中央領域に形成して、ネープ部の左右両側部を非伸縮性としているので、めくり上がりが防止できると共に、圧迫感がほとんどなく快適の装着感を得ることができる。
【００１２】
２．本発明に係るかつらは、弾性ネットが下端に向かって拡開するように両側を傾斜させているので、特に、装着者の上下方向の動きに対して追随して伸縮して、その動きを吸収する。弾性ネットの伸縮性が上は小さく下側は大きくなり、上側は固定性を、下側は追従性が向上し、ズレが防止されて、安定性と着用性が向上する。
【００１３】
３．本発明に係るかつらは、弾性ネットの両側を湾曲させていることにより、特に、装着者の上下方向の動きに対して的確に追随して伸縮し、確実にその動きを吸収する。
【００１４】
４．本発明に係るかつらは、くり部からネープ部に掛けて、伸縮自在な軟質の弾性部材がエッジラインに沿って添設されているので、ネープ部の弾性ネットと協働して密着性が向上する。
【００１５】
５．本発明に係るかつらは、伸縮自在な軟質の弾性部材が湾曲部を有するので、自然の状態のエッジライを形成できるとともに、このエッジラインを保った状態で密着性を維持できる。
【００１６】
６．本発明に係るかつらは、弾性部材の後端部に係止具を設け、該係止具はネープ部に設けた受部に係止するので、弾性部材の緊張力を調整することができ、着用者の個性に合わせて微調整ができる。また、緊張力を保持することにより、湾曲部を有する弾性体のエッジラインの保持力を効果的に発揮できる。
【００１７】
７．本発明に係るかつらは、くり部は、頂部が前額髪際中央部及び盆の窪間を結ぶ仮想線とつむじ部及び顎部間を結ぶ仮想線との交点に位置するように形成されているので、くり部は深く抉られた形となるとともに、かつらを装着した際、くり部の頂部が、かつらの前後方向に最も大きな張力が生じる着用者の前額髪際中央部及び盆の窪間を結ぶ仮想線上に位置している。これにより、くり部と耳の付け根との間には十分な余裕があるので、深く被ったり、左右に引っ張ても、耳に当接して擦ったり、或いはサイドプロテクタなどの浮き上がりも生じるようなことがなく、頭皮に密着した状態を維持することができ、弾性ネットを設けたネープ部と相まってかつらベース全体として頭部にぴったりと装着して良好なフィット感を得ることができる。
【００１８】
８．本発明に係るかつらは、くり部の前側に連接されたサイドプロテクタの下端部が、つむじ部及び顎部間の仮想延長線よりも上方に位置するので、眼鏡を着用した際に、サイドプロテクタに当たることがないので、違和感を与えることはない。
【００１９】
９．本発明に係るかつらは、前記サイドプロテクタは、くり部の頂部あるいはくり部の頂部より前側に接合されており、サイドプロテクタのくり部における接合角度が前額髪際中央部及び盆の窪間を結ぶ仮想線に対して９０度以下であるので、特に、湾曲弾性部材を用いた場合は、弾性部材の持ち上げ力を向上させることができる。
【発明を実施するための最良の形態】
【００２０】
本発明のかつらベースは、ネットをベースとし、基本的には、頭髪の一般的な自然なヘアライン、即ち前額部から左右両サイドのこめかみを経てもみあげ途中まで下降し、もみあげから耳後部を通って、うなじにかけて再び下降し、首後ろの盆の窪の下方を経る毛髪の生え際状態にほぼ一致するような形状に形成されたほぼ帽状のかつら、所謂、全かつらである。ただし、前額部のエッジラインを後退させた形状としたり、或いはサイドプロテクタを省略或いは変形した形状としたりすることは、着用者の希望或いはヘアデザインにより任意であり、このような変形タイプのものも含まれる。また、オーダーメイド或いはレディメイド何れのタイプにも適用可能である。
【００２１】
本発明のかつらベースは好適には、合成繊維素材により形成された柔軟なネットベースを主体として或いは部分的に軟質合成樹脂製の人工皮膚を配設して構成され、人工及び／又は天然毛髪が植毛されるようになっている。
【００２２】
本発明のネープ部は、中央領域をストレッチ素材からなる弾性ネットで形成して伸縮性を付与したもので、弾性ネットは、植毛可能であれば、細目、荒目何れであってもよい。また、弾性ネットの形状は如何なるものであってもよい。両側を下方に向かって拡開した形状とすると、装着者の首の運動に対して円滑に伸縮して、首の運動を確実に吸収できるので好ましい。
【００２３】
以下、本発明の第１の実施例を図１乃至図４に基づいて説明する。
ここで、図１は、本実施例における着用時の状態を示すかつらベースの側面図であり、図２は、本実施例のかつらベースの要部を示す側面図であり、図３は、ネープ部の分解、組立図であり、図４は、ネープ部の他の態様を示した平面図である。
【００２４】
本実施例のかつらベース１０は、合成繊維素材により形成された柔軟なネットベースで構成され、図１に示すように、毛髪の生え際とほぼ整合するように、かつらを着用した際、エッジ部が前額部からもみあげ部（サイドプロテクタ１１）を経て耳上部に至り、更に耳後部からネープ部１２に至るエッジラインを有するように形成されており、かつらベース１０のフロント側のエッジライン１０ａを前額髪際中央部ＦＰに合わせ、リア側のエッジライン１０ｂをネープ部１２に設けて襟足のヘアラインに合わせるようにして形成され、かつらを着用した際、着用者の耳にあたらないように、かつらのサイド部の耳上部乃至耳後部に対応するくり部１３が、耳上部乃至耳後部にかけてのヘアラインと同様の湾曲状に形成されている。
【００２５】
図２に示すように、くり部１３からネープ部１２に掛けて、伸縮自在な軟質の弾性部材１４をこれらのエッジラインに沿って添設して、かつら着用時に弾性部材１４により密着性を付与し得るようになっている。この伸縮自在で軟質な弾性部材１４は、例えば平ゴム紐等であり、一端部１４ａをくり部１３の下部近傍に固定させ、他端部１４ｂをネープ部１２近傍に固定している。
【００２６】
くり部１３の前側には、サイドプロテクタ１１が連設されている。本実施例のかつらベース１０は、柔軟なネット素材で構成され、サイドプロテクタ１１部分も柔軟であるので、その浮き上がりを防止するため、耳芯１５が配置されている。この耳芯１５は、例えば変形可能な金属片或いはプラスチック片をサイドプロテクタ１１の表面或いは内面から付設することにより構成することができる。
【００２７】
なお、サイドプロテクタ１１の周縁に沿って補強材を設ける場合など、サイドプロテクタ１１自体において一定の剛性を有しているものにあっては、必ずしも耳芯１５を設ける必要はない。
【００２８】
ネープ部１２は、後頭部のヘアラインに対応して盆の窪からうなじまでの幅をもって、横長状に形成され、図３に示すように、中央に円弧状の切欠部１２ｂが設けられたネープ部本体１２ａと、切欠部１２ｂの周縁に沿って縫いつけられ、両側を下方に向かって拡開した円弧状、すなわち、円弧状の弾性ネット１２ｃから構成されている。また、ネープ部本体１２ａは、柔軟なネット素材で構成され、その周囲はテープ１２ｄで縁取りされている。
【００２９】
この弾性ネット１２ｃは、ポリウレタンのような弾性の単繊維素材により形成され、その弾性による伸縮により、ネープ部１２を着用者の襟足の丸みに沿ってぴったりと密着させるとともに、装着者の首の上下左右の動きに追随して弾性ネット１２ｃが伸縮して、その動きを吸収する。したがって、ずり上がりや浮き上がりが防止でき、着用者の襟足とネープ部とが摺動しないので摩擦傷の発生も防止できる。
また、ネープ部１２は、弾性ネット１２ｃを中央領域に形成して、ネープ部１２の左右両側部を非伸縮領域１２ｅ，１２ｅとしているので、めくり上がりが防止できると共に、圧迫感がなく快適の装着感を得ることができる。
【００３０】
なお、本実施例では、弾性ネット１２ｃを両側を下方に向かって拡開した円弧状のものを用いているが、図４に示すような（ａ）両側を下方に向かって直線状に傾斜させたもの、（ｂ）両側を平行にしたもの、（ｃ）両側を内側に膨らませて円弧状としたものであってもよい。
【００３１】
本発明のかつらは、上記構成からなるので、かつらを装着すると、ネープ部１２は、弾性ネット１２ｃによって着用者の襟首の丸みに沿って、襟首に確実にフィットするので、着用者の頭の大小や首の太い細いに関係なく着用者の襟首に安定して装着され、くり部１３からネープ部１２に掛けて設けられた弾性部材１４と協働して、かつらのエッジラインをヘアラインに沿って充分に整合させることができるようになり、フィット感や外観上の見栄えを向上する。また、着用者が繰り返し首を上下及び左右に動かしても、その動きを弾性ネット１２ｃの伸縮により吸収するので、長期の使用によってもネープ部１２のずり上がり、めくり上がり及び浮き上がりが生ぜず、フィット感が増す。
【００３２】
次に、本発明の第２の実施例について、図５及び図６に基づいて説明する。
ここで、図５は、本実施例における着用時の状態を示すかつらベースの側面図であり、図６は、本実施例のかつらベースの要部を示す側面図である。
【００３３】
本実施例のかつらベース２０は、前述した第１の実施例と同様に、単繊維素材により形成された柔軟なネットベースで構成され、図５に示すように、毛髪の生え際とほぼ整合するように、かつらを着用した際、エッジ部が前額部からもみあげ部（サイドプロテクタ２１）を経て耳上部に至り、更に耳後部からネープ部２２に至るエッジラインを有するように形成されており、かつらベース２０のフロント側のエッジライン２０ａを前額髪際中央部ＦＰに合わせ、リア側のエッジライン２０ｂをネープ部２２に設けて襟足のヘアラインに合わせるようにして形成され、かつらを着用した際、着用者の耳にあたらないように、かつらのサイド部の耳上部乃至耳後部に対応するくり部２３が、耳上部乃至耳後部にかけてのヘアラインと同様の湾曲状に形成されている。
【００３４】
また、図６に示すように、ネープ部２２は、実施例１と同様に、後頭部のヘアラインに対応して盆の窪ＢＰからうなじまでの幅をもって、横長状に形成され、中央に円弧状の切欠部が設けられたネープ部本体２２ａと円弧状の切欠部に縫いつけられた半円状の弾性ネット２２ｃとから構成されている。
【００３５】
本実施例のくり部２３は、頂部２３ａを、前額髪際中央部ＦＰ及び盆の窪ＢＰ間を結ぶ仮想線Ｌ１とつむじ部ＧＰ及び顎部ＡＰ間を結ぶ仮想線Ｌ２との交点に位置するように形成するとともに、くり部２３からネープ部２２に掛けて、伸縮自在な軟質の弾性部材２４がこれらのエッジラインに沿って湾曲状に添設している。  
【００３６】
この伸縮自在で軟質な弾性部材２４は、例えば平ゴム紐等であり、弾性部材２４の一端部２４ａをくり部２３の頂部２３ａ近傍に固定させ、他端部２４ｂをネープ部２２に設けた留め具２６に係止させるようにして長さ調節を可能とするとともに、これらの端部２４ａ、２４ｂ間を自由状態で配置している。このように、弾性体２４の一端部２４ａを、くり部２３の頂部２３ａの近傍に固定すると、張力が加わっても、この固定部が抵抗となって、湾曲したくり部２３の維持に有効である。
【００３７】
また、くり部２３の前側に連接したサイドプロテクタ２１は、その下端部２１ａが頭部のつむじ部ＧＰ及び顎部ＡＰ間を結ぶ仮想線Ｌ２よりも上方に位置するようにするとともに、第１の実施例と同様に、サイドプロテクタ２１の浮き上がりを防止するため、耳芯２５が配置されている。このように、サイドプロテクタの下端部をこのような位置を設定すると、眼鏡を使用した際に、サイドプロテクタ２１には当たることが防止できるので、違和感を生ずることがない。特に、前額髪際中央部及び盆の窪間を結ぶ仮想線に対するサイドプロテクタ２１の下辺の取付角θを９０°以下とすると、サイドプロテクターの先端が下がらないようにすることができ、眼鏡のツル当たりを軽減することができる。
【００３８】
本実施例のかつらは、上記構成からなるので、かつらを装着すると、くり部２３まわりは、前額髪際中央部ＦＰから盆の窪ＢＰへかけての大きな張力と弾性部材２４の弾力によって引っ張られるが、くり部２３の頂部２３ａが前額髪際中央部ＦＰ及び盆の窪ＢＰ間を結ぶ仮想線Ｌ１上に位置し、弾性体２４が湾曲状に配置されているので、くり部２３は湾曲状の形状を維持することができる。従って、かつら着用時にくり部２３の湾曲形状が維持されるとともに、弾性部材２４の張力により、常に違和感のない良好なフィット感を得ることができる。しかも、ネープ部２２は、中央領域を弾性ネット２２ｃで形成しているので、弾性ネット２２ｃによって着用者の襟首の丸みに沿って、襟首に確実にフィットするので、着用者の襟足に安定して装着されて、かつらのエッジラインをヘアラインに沿って充分に整合させることができるようになり、フィット感や外観上の見栄えを向上することができる。また、着用者が繰り返し首を上下及び左右に動かしても、弾性ネットがその動きを吸収するので、長期の使用によってもネープ部２２のずり上がり、めくり上がり及び浮き上がりが生ぜず、フィット感が増す。
【００３９】
また、くり部２３の頂部が前額髪際中央部ＦＰ及び盆の窪ＢＰ間を結ぶ仮想線Ｌ１とつむじ部ＧＰ及び顎部ＡＰ間を結ぶ仮想線Ｌ２との交点に位置しているため、サイドプロテクタ２１の先端２１ａからくり部２３のエッジラインまでの奥行を大きく確保することができるので、くり部２３が耳にあたるのを確実に防ぐことができる。
【００４０】
さらに、くり部２３を所定の湾曲形状を保つとともに、サイドプロテクタ２１の下端部２１がつむじ部ＧＰ及び顎部ＡＰ間を結ぶ仮想線Ｌ２よりも上方に位置していることにより、眼鏡の使用時においても、サイドプロテクタに当たることがなく、また、くり部２３のまわりに違和感が生ずることもないので、良好な装着感を得ることができる。
【図面の簡単な説明】
【００４１】
【図１】実施例１における着用時の状態を示す側面図。
【図２】実施例１のかつらベースの要部を示す側面図。
【図３】ネープ部の分解、組立図。
【図４】ネープ部の他の実施例を示す平面図。
【図５】実施例２における着用時の状態を示す側面図。
【図６】実施例２のかつらベースの要部を示す側面図。
【符号の説明】
【００４２】
１０、２０  かつらベース
１０ａ、２０ａ  フロント側のエッジライン
１０ｂ、２０ｂ  リア側のエッジライン
１１、２１  サイドプロテクタ
１２、２２  ネープ部
１２ａ、２２ａ  ネープ部本体
１２ｂ  切欠部
１２ｃ、２２ｃ  弾性ネット
１２ｄ  縁取りテープ
１２ｅ  非伸縮領域
１３、２３  くり部
２３ａ  くり部の頂部
１４、２４  弾性部材
１４ａ、２４ａ  前端
１４ｂ、２４ｂ  後端
１５、２５  耳芯
２６  留め具
２７  受部（留め位置調整部材）
Ｌ１  前額髪際中央部ＦＰ 及び盆の窪ＢＰ 間を結ぶ仮想線
Ｌ２  つむじ部ＧＰ 及び顎部ＡＰ 間を結ぶ仮想線
【図１】
2007321298.tif 000003
【図２】
2007321298.tif 000004
【図３】
2007321298.tif 000005
【図４】
2007321298.tif 000006
【図５】
2007321298.tif 000007
【図６】
2007321298.tif 000008